(57)【要約】【課題】多様な解析方法を用いてエネルギーシステムを多角的評価するときに、評価者への負担を軽減しつつ、評価者が所望する評価結果を出力すること。【解決手段】エネルギーシステム評価装置９は、各評価単位、および、所定の評価単位から別の評価単位へのリンクを入力させることで、評価対象のライフサイクルの入力を受け付ける評価対象編集部２６と、入力されたライフサイクルに属する各評価単位について、各評価単位を検索キーとして記憶部の評価データ１１と、評価手法プログラム１３とをリンクするデータ手法リンク部２３と、リンクされた評価手法プログラム１３を実行することで、各評価単位を評価する評価部２５と、評価部２５の評価結果を表示する表示部２２と、を有する。【選択図】図１
2009037388.tif 000002
【特許請求の範囲】
【請求項１】
エネルギーシステムにより実行されるエネルギー加工プロセスを順序づけされたライフサイクルを、複数の評価軸で評価するエネルギーシステム評価装置であって、
前記エネルギー加工プロセスを実行する機器ごとの機器データと、前記エネルギーシステムを評価するときの前記評価軸と、前記エネルギーシステムへの評価手法を実行するための評価手法プログラムと、を記憶する記憶部、
前記エネルギー加工プロセスか、そのエネルギー加工プロセスを実行する機器単位か、で構成される各評価単位と、所定の評価単位から別の評価単位へのリンクと、を入力させることで、評価対象の前記ライフサイクルの入力を受け付ける評価対象編集部、
入力された前記ライフサイクルに属する各評価単位について、各評価単位を検索キーとして記憶部の前記機器データを検索することで、各評価単位の前記評価手法プログラムへの入力項目および出力項目を取得し、入力を受け付けた前記評価軸をもとに前記評価手法プログラムを選択し、取得した前記入力項目および前記出力項目、ならびに、特定した前記評価手法プログラムをリンクするデータ手法リンク部、
リンクされた前記入力項目および前記出力項目を用いて、リンクされた前記評価手法プログラムを実行することで、各評価単位を評価する評価部、および、
前記評価部の評価結果を、評価単位ごとに表示する表示部を有することを特徴とする
エネルギーシステム評価装置。
【請求項２】
記憶部は、前記入力項目および前記出力項目を示す変数の宣言文を含む前記評価手法プログラムを記憶することを特徴とする
請求項１に記載のエネルギーシステム評価装置。
【請求項３】
記憶部は、単位を一意に示す単位ＩＤと、単位ＩＤに対応づけられる単位記号との対応表を格納し、
前記データ手法リンク部は、各評価単位についての前記評価軸の値か、その値に対応した単位記号か、を検索キーとして、前記機器データを検索することを特徴とする
請求項１または請求項２に記載のエネルギーシステム評価装置。
【請求項４】
前記データ手法リンク部は、所定の評価単位を評価する前記評価手法プログラムの複数の候補が存在するときに、複数の候補から１つの候補を選択させ、選択された前記評価手法プログラムをリンクすることを特徴とする
請求項１ないし請求項３のいずれか１項に記載のエネルギーシステム評価装置。
【請求項５】
前記評価部は、入力された前記ライフサイクルに属する全ての評価単位に対する総合評価を行うときに、前記ライフサイクルの前に存在する第１評価単位の評価結果を示す前記出力項目を、前記ライフサイクルの後に存在する第２評価単位の前記入力項目に設定することを特徴とする
請求項１ないし請求項４のいずれか１項に記載のエネルギーシステム評価装置。
【請求項６】
エネルギーシステムにより実行されるエネルギー加工プロセスを順序づけされたライフサイクルを、複数の評価軸で評価するエネルギーシステム評価方法であって、
前記エネルギー加工プロセスを実行する機器ごとの機器データと、前記エネルギーシステムを評価するときの前記評価軸と、前記エネルギーシステムへの評価手法を実行するための評価手法プログラムと、を記憶する記憶部にアクセスするコンピュータが、
前記エネルギー加工プロセスか、そのエネルギー加工プロセスを実行する機器単位か、で構成される各評価単位と、所定の評価単位から別の評価単位へのリンクと、を入力させることで、評価対象の前記ライフサイクルの入力を受け付け、
入力された前記ライフサイクルに属する各評価単位について、各評価単位を検索キーとして記憶部の前記機器データを検索することで、各評価単位の前記評価手法プログラムへの入力項目および出力項目を取得し、入力を受け付けた前記評価軸をもとに前記評価手法プログラムを選択し、取得した前記入力項目および前記出力項目、ならびに、特定した前記評価手法プログラムをリンクし、
リンクされた前記入力項目および前記出力項目を用いて、リンクされた前記評価手法プログラムを実行することで、各評価単位を評価し、
評価部の評価結果を、評価単位ごとに表示装置に表示することを特徴とする
エネルギーシステム評価方法。
【請求項７】
請求項６に記載されたエネルギーシステム評価方法を、コンピュータに実行させるためのエネルギーシステム評価手法プログラム。
【発明の詳細な説明】
【技術分野】
【０００１】
本発明は、エネルギーシステム評価装置、エネルギーシステム評価方法、および、エネルギーシステム評価プログラムに関する。
【背景技術】
【０００２】
二酸化炭素（ＣＯ２）を代表とする温室効果ガスによる大気環境の悪化が重大な社会問題となっている。特に、近年においては、地球規模での気温の上昇が温室ガスの影響であることが指摘されており、その影響は深刻な国際問題となっている。
【０００３】
このような事態を省み、２００５年２月に地球温暖化防止京都議定書が発効され、温室効果ガス削減の数値目標や、排出量取引、共同実施、クリーン開発メカニズム等についての国際協定が完全履行された。このような情勢のもと、自然エネルギーなどの選択、従来の化石燃料を高効率発電や分散電源による熱利用、水素エネルギーならびに燃料電池の活用などにより低ＣＯ２排出量化が人類の課題となっている。
【０００４】
分散電源や水素エネルギーの環境性を判断する上で製品のライフサイクルにおいて、製造工程以外の原料採取、流通、使用、廃棄、リサイクル工程などエネルギーライフサイクル全体での環境負荷を評価することが大事となる。例えば、特許文献１ではライフサイクル全体の環境性負荷を算出するために工場で使用するエネルギーデータを取り込み環境性負荷を見積もることを目的とした。
【０００５】
しかしこれらの技術の導入は発電コストが高くなるなどの経済的な問題、既存のエネルギー市場をいかにして上手に遷移していくか市場性の問題、技術開発に必要な投資や投入可能時期、技術の信頼性、政治的な問題などのさまざまな問題が複雑に絡んでおり、選択することは困難である。
例えば、エネルギー導入決定者が分散エネルギーを導入する際に、分散電源の効果を経済性、効率、環境性など様々な観点で比較し導入のメリットを評価しなくてはならず、これを分かり易く説明できる導入システム評価が重要になってくる。
これに対して、特許文献２では、製品がそのライフサイクルを通じて環境へ及ぼす負荷に対するコストをも含めて、当該ライフサイクル全体にわたり当該製品の製造者と当該製品の使用者と社会のそれぞれが負担するコストを容易にしかも効率よく評価することのできる評価装置を実現し、多角的に製品を評価する手法が提案された。
【０００６】
また、エネルギーのライフサイクル評価作業は、例えば、環境評価を実施する場合、プロセス機器や運用の情報を毎回手入力で作成し、集計し、環境性評価値への換算を実施し、評価値を算出していた。このため評価者の工数もかかるし、誤入力も発生しやすいという欠点があった。
これに対し、特許文献３では、ある機器を構成品の属性データで整理し装置のコンポーネントおよび部品構成と素材データおよび電子部品データを結合し、環境性評価を複数の評価者間で共有しつつ再利用することで評価、解析をより効率的に行えることを目的とした。
【特許文献１】特開２００５-３３９５０４号公報
【特許文献２】特開２００５−１６５４６９号公報
【特許文献３】特願２０００−１６８８６号公報
【発明の開示】
【発明が解決しようとする課題】
【０００７】
エネルギープロセス機器およびエネルギーのライフサイクルシステムを評価するときに、以下の（１）および（２）の課題がある。前記した各先行文献は、これらの課題を充分に解決するには至っていない。
【０００８】
（１）多角的評価は、ある評価における評価軸が評価する人によって代わることであり、また複数の評価軸をもとに、解析を行って比較することも必要となる。そして、評価結果の表示について、重視する評価手法のみを見たい場合や、総合評価のみを見たい場合など、評価する人によって異なる。
【０００９】
（２）多様な解析方法は、エネルギープロセス機器およびエネルギーのライフサイクルシステムを様々な観点で評価を行う場合に、解析対象データ、解析対象データへの解析手法、および、解析手法へのデータ入力が増えてしまうことを指す。よって、エネルギー評価者にとっては、評価・解析を行うまでに多大な労力を要する。評価データの結合に関しても、解析方法が多様になれば結合も複雑になり、誤入力が発生する可能性は大きくなってしまう。
【００１０】
そこで、本発明は、前記した問題を解決し、多様な解析方法を用いてエネルギーシステムを多角的評価するときに、評価者への負担を軽減しつつ、評価者が所望する評価結果を出力することを主な目的とする。
【課題を解決するための手段】
【００１１】
前記課題を解決するため、本発明は、エネルギーシステムにより実行されるエネルギー加工プロセスを順序づけされたライフサイクルを、複数の評価軸で評価するエネルギーシステム評価装置であって、前記エネルギー加工プロセスを実行する機器ごとの機器データと、前記エネルギーシステムを評価するときの前記評価軸と、前記エネルギーシステムへの評価手法を実行するための評価手法プログラムと、を記憶する記憶部、前記エネルギー加工プロセスか、そのエネルギー加工プロセスを実行する機器単位か、で構成される各評価単位と、所定の評価単位から別の評価単位へのリンクと、を入力させることで、評価対象の前記ライフサイクルの入力を受け付ける評価対象編集部、入力された前記ライフサイクルに属する各評価単位について、各評価単位を検索キーとして記憶部の前記機器データを検索することで、各評価単位の前記評価手法プログラムへの入力項目および出力項目を取得し、入力を受け付けた前記評価軸をもとに前記評価手法プログラムを選択し、取得した前記入力項目および前記出力項目、ならびに、特定した前記評価手法プログラムをリンクするデータ手法リンク部、リンクされた前記入力項目および前記出力項目を用いて、リンクされた前記評価手法プログラムを実行することで、各評価単位を評価する評価部、および、前記評価部の評価結果を、評価単位ごとに表示する表示部を有することを特徴とする。その他の手段は、後記する。
【発明の効果】
【００１２】
本発明によれば、多様な解析方法を用いてエネルギーシステムを多角的評価するときに、評価者への負担を軽減しつつ、評価者が所望する評価結果を出力することを実現できる。
【発明を実施するための最良の形態】
【００１３】
本発明の一実施形態について説明する。
【００１４】
図１は、エネルギーシステム評価装置９のハードウェア構成を示す構成図である。エネルギーシステム評価装置９は、エネルギー加工プロセスである原料採掘、貯蔵・輸送、転換・変換、利用、廃棄、リサイクルなどのライフサイクルにおいて、各プロセスまたはそれまでのプロセス全体での環境負荷や製品コストを同時に評価する。エネルギーシステム評価装置９は、特にパーソナルコンピュータを含むＯＡ（Office Automation）装置を含むエネルギーシステムのサプライチェーンを、効率、環境性、経済性、市場性、信頼性などの評価軸で評価する。エネルギーシステム評価装置９は、入力装置１、表示装置２、データ格納装置３、ＣＰＵ（Central Processing Unit）６、および、メインメモリ７が、それぞれバス接続される構成である。
【００１５】
入力装置１は、キーボード、マウス、入力用ペンなどの入力デバイスにより構成される。表示装置２は、ブラウン管ディスプレイ、液晶ディスプレイなどの表示デバイスにより構成される。データ格納装置３は、ＨＤＤ（Hard Disk Drive）などにより構成される。ＣＰＵ６は、メインメモリ７に読み込んだ各処理部を実現するためのプログラムを実行する。メインメモリ７は、ＲＡＭ（Random Access Memory）などにより構成される。メインメモリ７は、入力部２１、表示部２２、データ手法リンク部２３、評価データ管理部２４、評価部２５、評価対象編集部２６、および、評価単位編集部２７を格納する。
【００１６】
データ格納装置３は、評価データ１１、評価単位データ１２、評価手法プログラム１３、評価結果データ１４、および、単位記号テーブル１５を格納する。評価データ１１は、プロセス機器技術テーブル１１ａ、原燃料テーブル１１ｂ、および、一般テーブル１１ｃにより構成される。評価単位データ１２は、基本テーブル１２ａ、および、リンクテーブル１２ｂにより構成される。評価結果データ１４は、シート設定テーブル１４ａ、入力設定テーブル１４ｂ、出力設定テーブル１４ｃ、および、単位設定テーブル１４ｄにより構成される。これらのデータは、必ずしも独立しなくてもよい。
【００１７】
図２は、図１のエネルギーシステム評価装置９を分散システムにした構成図である。データ格納装置３は、エネルギーシステム評価装置９の外部に設置されている。そして、エネルギーシステム評価装置９からデータ格納装置３のデータにアクセスするときには、エネルギーシステム評価装置９、通信装置４ａ、通信装置４ｂ、ファイルサーバ５、データ格納装置３という通信経路を辿る。なお、通信装置４ａ、通信装置４ｂは、例えば、ルータである。ファイルサーバ５は、他装置からのアクセス要求を受け、直接接続するデータ格納装置３へのアクセスを代行する。
【００１８】
図３は、エネルギーシステム評価装置９の機能に着目した構成図である。図３では、構成要素間の主要なデータの流れを矢印で示している。
【００１９】
入力部２１は、入力装置１からデータの入力を受け付け、メインメモリ７に記憶されている各処理部へ入力されたデータを通知する。表示部２２は、メインメモリ７に記憶されている各処理部の処理データを、表示装置２へ表示する。
【００２０】
データ手法リンク部２３は、評価データ１１と評価手法プログラム１３とをリンクすることで、評価手法プログラム１３に対して、どの評価軸で使用するか、または、どの機器分類に該当するかを設定する。評価データ管理部２４は、評価に必要なデータの入力を受け付け、入力された各データを評価データ１１へ記録する。評価部２５は、評価対象編集部２６により評価結果データ１４へ設定されたデータをもとに評価を実施し、その結果を評価結果データ１４に追加する。
【００２１】
評価対象編集部２６は、各プロセスの評価データ１１と評価単位データ１２とをライフサイクル分並べ、評価シートにより情報をリンクすることで、エネルギーのライフサイクル全体を評価結果データ１４へ設定する。評価単位編集部２７は、評価単位データ１２をユーザに編集させる。
【００２２】
評価データ１１は、各プロセスおよびプロセスを構成する機器単位で、効率、環境性、経済性などを管理する。評価単位データ１２は、データ手法リンク部２３によりリンクされたデータである。評価手法プログラム１３は、評価手法を実行するためのプログラムであり、評価軸および機器分類ごとに存在する。評価結果データ１４は、評価部２５による評価の結果を記録したデータであり、グラフ形式などで表示部２２へ表示および編集される。単位記号テーブル１５は、他データに記憶されている単位ＩＤから単位を特定するための対応表である。
【００２３】
図４は、評価対象編集部２６が評価データ１１（評価軸を含む）および評価単位データ１２（評価単位を含む）を編集する様子を示す説明図である。図４の縦方向は「総合効率評価」、「環境性評価」、「経済性評価」という３つの評価軸を示し、図４の横方向は「原料採掘」、「転換・変換」、「輸送」、「利用」という４つの評価単位を示す。各プロセスおよび評価対象機器は、評価軸ごとに評価単位を持つ。例えば、プロセスＡは、各評価軸における評価単位「利用」を示す。
【００２４】
このように、エネルギーチェーンは、「原料採掘（原燃料の採掘）」から「利用」までの複数の評価単位で構成される。そして、これらの評価単位はプロセスとして、複数の評価軸で同時に評価される。
【００２５】
図５は、評価単位データ１２の評価単位を説明する概要図である。
【００２６】
図５（ａ）に示す評価単位は、１つ以上の入力項目、および、１つ以上の出力項目と対応づけられている。例えば、評価単位「水力発電」は、４つの入力項目、および、６つの出力項目と対応づけられている。
【００２７】
図５（ｂ）は、評価単位間のリンクを説明する図である。評価単位は、サプライチェーンの流れに従って配置される。ここでサプライチェーンのある評価単位「水力発電」と評価単位「送電線」について、実際のサプライチェーンにおいては評価単位「水力発電」から評価単位「送電線」に製品を受け渡す関係にあるとする。サプライチェーン全体での総合効率を求めるために、評価単位「水力発電」における効率の評価結果と、評価単位「送電線」における効率の評価結果と、を乗算する必要がある。
【００２８】
例えば、サプライチェーン全体での総合効率を求める際には、評価単位「水力発電」で効率評価を行い、その結果が評価単位「水力発電」の出力項目「１」に出力されているとする。このとき、評価単位「水力発電」の出力項目「１」から、評価単位「送電線」の入力項目「１」へとリンク（矢印で表現）する。なお、評価軸が互いに異なる評価単位でも入力項目と出力項目とをリンクさせることもできる。
【００２９】
図６は、評価手法プログラム１３の一例を示す。評価手法プログラム１３は、機器分類および評価軸ごとに存在する。評価軸とは、エネルギーシステムの優劣を決める要素を示す。評価軸は、例えば、効率、環境性、経済性、信頼性、Ｒ＆Ｄ性、市場性などが挙げられるが、これらの例示に限ったものではない。
【００３０】
図６（ａ）は、評価手法プログラム１３をテキストファイル形式で表現したものであり、図６（ｂ）は、図６（ａ）の評価手法プログラム１３をＣＳＶ（Comma Separated Values）ファイル形式（表形式）で表現したものである。なお、各評価手法プログラム１３には、他の評価手法プログラム１３と区別するためのファイル名が指定されて、保存される。
【００３１】
図６（ｂ）をもとに、評価手法プログラム１３を具体的に説明する。
命令番号領域（各行の先頭列の「１〜６」）は、プログラムを実行する順序を示す行番号を定義する。
実行命令領域（１行目の入力項目の定義命令を示す＄ＳＵＢＩＮ、２行目の出力項目の定義命令を示す＄ＳＵＢＯＵＴ、６行目のプログラム終了命令を示す＄ＥＸＩＴ）は、実行命令を示す。
変数データ領域（各行の４列目以降）は、計算に用いる変数や数値を記載する。
実行命令領域（３〜５行目の３列目）は、＋、−、＊、÷などの単項演算子および命令関数を定義する。
結果領域（３〜５行目の２列目）は、実行命令領域と変数データ領域で定義された演算手法の結果得られたデータの変数名を定義する。
【００３２】
【表１】
2009037388.tif 000003
【表２】
2009037388.tif 000004
【表３】
2009037388.tif 000005
【表４】
2009037388.tif 000006
【００３３】
表１〜表４に示すプロセス機器技術テーブル１１ａは、表１の各列（id_technique、チェーン分類、機器分類、機器名称、技術時期、原燃料名、製品名）と、表２の各列（定格容量、機器効率）と、表３の各列（設備費、脱硫装置費）と、表４の各列（Ｒ＆Ｄ費）と、を対応づけて格納する。表２〜表４の各列は、その列が示すパラメータの「値」、その値の「単位」、および、その値に関する「コメント」から構成される。なお、「単位」が数値の時には、その数値は単位ＩＤを示し、単位記号テーブル１５を参照することで、単位を特定できる。
【００３４】
プロセス機器技術テーブル１１ａは、表１〜表４に例示したデータ以外にも、プロセスの機器効率など機器仕様に関する技術特性データ、定格容量、効率などのプロセス機器の性能を示す性能データ、設備費用、設備の運営維持費、人件費などの経済性データ、設備の環境対策に関する環境性データ、プロセス機器の開発にかかった金額や期間などＲ＆Ｄ（Research and Development）に関するＲ＆Ｄデータ、機器の故障率などに関する信頼性データ、エネルギー需要量やエネルギー供給量などエネルギーの市場規模に関する市場性データを格納する。
【００３５】
「id_technique」列は、プロセス構成機器のＩＤを格納する。このＩＤには例えば、プロセス機器の型式バージョンを含むことができる。
「チェーン分類」列は、プロセス機器が所属するサプライチェーン、例えば燃料採掘、前処理・変換、海外輸送、貯蔵、転換変換、国内輸送、利用、回収、リサイクル、を格納する。前記で述べた分類手法はこの限りでなく、例えば国内輸送を国内陸送、国内海運と分割して分類することもできるし、国内輸送を海外輸送と統合して輸送としてもよい。しかし、この分類定義を一度定義すると、それ以降は分類手法を統一するほうが望ましい。
「機器分類」列は、プロセス名称および一般的な機器名称を格納する。例えば、格納される名称は圧縮機、自動車、発電機などとなる。
「機器名称」列は、プロセスに属する機器の個体認識名称を格納する。ここで個体認識名称とは機器分類が発電機の場合、Ａ社製の発電機など機器分類に修飾語句を付加したもの、Ａ−１０５などの型式名、エコ発電機などの商品名を示す。「技術時期」は、機器名称が発売された年などが記載される。０が記載されている場合は、特に年度を想定していないことを示す。
「原燃料名」および「製品名称」列は、各プロセスで加工や保持される原燃料名およびその結果として製品として次のプロセスに引き渡される製品名を格納する。例えば、石油タンカーの場合、引き渡される原燃料は原油であるので、原油が記載され、また、製品名にも原油が記載される。
【００３６】
【表５】
2009037388.tif 000007
【表６】
2009037388.tif 000008
【００３７】
表５〜表６に示す原燃料テーブル１１ｂは、表５の各列（id_fuel、原燃料名、年度、密度）と、表６の各列（ＣＯ２排出原、ＦＯＢ（Free On Board）コスト）と、を対応づけて格納する。
【００３８】
原燃料テーブル１１ｂは、表５〜表６に例示したデータ以外にも、エネルギーや燃料の原料となる石油、天然ガス、石炭およびその燃料自体、例えばガソリンや電気に関する密度、発熱量などの燃料物性データ、硫黄含有量、ＣＯ２排出原単位など環境性データ、また、原燃料の国内外コストなどの経済性データを格納する。
【００３９】
表５の「id_fuel」列は、原燃料のＩＤを格納する。このＩＤには例えば、原燃料の品質や原産地などを含むことができる。
「原燃料名」列は、原燃料の名称を格納する。
「年度」列は、基本的に原燃料が採取された年度を格納する。ただし、これ以外にも原燃料の物性を評価した年度や燃料が取引された年度を格納してもよい。機器名称が発売された年などが記載される。０が記載されている場合は、特に年度を想定していないことを示す。
表５および表６の各パラメータ（密度、ＣＯ２排出原、ＦＯＢコスト）列は、「原燃料名」で特定される原燃料に関するものである。
【００４０】
【表７】
2009037388.tif 000009
【００４１】
表７に示す一般テーブル１１ｃは、id_Common、項目名、年度、値、項目_単位、および、コメントを対応づけて格納する。一般テーブル１１ｃは、プロセス機器技術テーブル１１ａや原燃料テーブル１１ｂに属さない、金利や物価上昇率などの計算データを格納する。
【００４２】
「id_Common」列は、データ項目のＩＤを格納する。
「項目名」列は、データの名称を格納する。
「年度」列は、基本的に文献の採用された年度やデータを調査した年度を格納する。ただし、これに限るものではない。
「値」列は、その項目および年度に対応する数値を格納する。
「項目＿単位」列は、単位記号または単位ＩＤを格納する。
「コメント」列は、コメントを格納する。
【００４３】
【表８】
2009037388.tif 000010
【表９】
2009037388.tif 000011
【表１０】
2009037388.tif 000012
【００４４】
表８〜表１０に示す基本テーブル１２ａは、表８の各列（id_sub、評価手法、評価軸、チェーン分類、機器分類、入力数、出力数）と、表９の各列（入力項目「１」〜「ｎ」とその単位「１」〜「ｎ」）と、表１０の各列（出力項目「１」〜「ｎ」とその単位「１」〜「ｎ」）と、を対応づけて格納する。
【００４５】
表８の「id_sub」列は、評価手法プログラム１３のＩＤを格納する。このＩＤはチェーン分類、機器分類および評価軸の組み合わせの数だけ存在する。
「評価手法」列は、評価手法プログラム１３のファイル名を格納する。
「評価軸」列は、評価手法プログラム１３の評価内容が格納され、例えば、効率、環境性、経済性などが記載される。
「チェーン分類」、および、「機器分類」列は、評価手法プログラム１３が評価する対象物の属するチェーン分類名、機器分類名がそれぞれ格納される。
「入力数」、および、「出力数」列は、評価手法プログラム１３の入力項目および出力項目の数を格納する。このとき格納されるのは数値データとなるのが好ましい。
表９の「入力項目」列は、評価手法プログラム１３の入力項目およびその単位を格納する。
表１０の「出力項目」列は、評価手法プログラム１３の入力項目およびその単位を格納する。
【００４６】
【表１１】
2009037388.tif 000013
【００４７】
表１１に示すリンクテーブル１２ｂは、id_sub、入力_ＩＤ、データテーブル名、項目名、項目フィールド名、および、数値フィールド名を対応づけて格納する。リンクテーブル１２ｂは、評価データ１１と評価手法プログラム１３の入力項目とを対応づける（リンクする）ものである。
【００４８】
「id_sub」列は、評価手法プログラム１３のＩＤを格納する。このＩＤはチェーン分類、機器分類および評価軸の組み合わせの数だけ存在する。
「入力_ＩＤ」列は、id_subで指定された評価手法プログラム１３の入力番号を格納する。
「データテーブル名」列は、参照するデータが格納されているテーブル名を格納する。
「項目名」列は、キーとなる項目名、例えば機器種別や燃料名を格納する。
「項目フィールド名」および「数値フィールド名」列は、データ項目の名称、数値項目名が指定される。ただし、この場では機器名称を特定できていないため、具体的な数値は決定しない。
【００４９】
以上説明したように、評価単位データ１２（基本テーブル１２ａおよびリンクテーブル１２ｂ）は、評価手法プログラム１３および評価データ１１を特定するためのデータを格納することで、評価手法プログラム１３と、評価データ１１とをリンクさせ、評価時の入力を簡略化することができる。
【００５０】
【表１２】
2009037388.tif 000014
【００５１】
表１２に示すシート設定テーブル１４ａは、id_sheet、シート名、計算モード、および、評価年を対応づけて格納する。シート設定テーブル１４ａは、評価対象編集部２６の評価シートを設定するためのデータを格納する。
【００５２】
「id_sheet」列は、評価シートのＩＤを格納する。
「シート名」列は、評価者が任意に設定した評価シート名を格納する。
「計算モード」列は、単一計算、複数回計算、乱数計算、最適化計算など計算モードを格納する。なお、この項目は計算実行後に格納されるものである。
「評価年」列は、計算に用いた主要データの設定年月日を格納する。
【００５３】
【表１３】
2009037388.tif 000015
【表１４】
2009037388.tif 000016
【表１５】
2009037388.tif 000017
【００５４】
表１３〜表１５に示す入力設定テーブル１４ｂは、表１３の各列（id_sheet、評価軸、評価単位id、入力_no、入力項目名、単位種別、単位）と、表１４の各列（リンク種類、入力データ、リンクテーブル、項目名、入力DBデータ）と、表１５の各列（リンク先評価軸、リンク先評価単位ID、リンク先出力番号、評価年）と、を対応づけて格納する。入力設定テーブル１４ｂは、単位設定テーブル１４ｄの入力項目に関する設定を行うものである。
【００５５】
表１３の「id_sheet」列は、評価単位の属する評価シートのＩＤを格納する。
「評価軸」列は、評価単位の属する評価軸を格納する。このとき、評価軸は評価軸ＩＤ（効率：０、環境性：１、経済性：２、…）を設定すると、データ容量の少量化を図ることができる。
「評価単位id」列は、評価シート上の各評価を区別するためのＩＤとなる。ここでＩＤの付加させ方については、評価単位を作った順番、評価単位を作った座標などがあるがこれに限るものではない。
「入力_no」列は、該当する入力項目番号を格納する。
「入力項目名」、「単位種別」、「単位」列は、それぞれ入力項目に対応した項目名、単位の区分、単位を格納する。入力＿ｎｏ、入力項目名や単位は評価単位データ１２から設定されるものである。
【００５６】
表１４の「リンク種類」列は、データ項目に入力されるデータの種別を格納する。その一例として、評価者が評価時に直接入力したデータの際には０が格納され、プロセス機器技術テーブル１１ａ、原燃料テーブル１１ｂ、一般テーブル１１ｃなどからデータを入力する際には１が格納され、別の評価単位からの計算結果が入力される場合には２が入力される。
「入力データ」列は、リンク種類に０が格納された場合、すなわち直接データ入力された場合に、その数値を格納する。
「リンクテーブル」、「項目名」、「入力ＤＢデータ」列は、リンク種類に１が格納された場合にすなわちリンクテーブル１２ｂからのデータ抽出された場合、そのテーブル名、項目名、データを格納する。
【００５７】
表１５の「リンク先評価軸」、「リンク先評価単位ＩＤ」、「リンク先出力番号」列は、リンク種類に２が選択された場合、すなわち別の評価単位からの計算結果が入力される場合、リンク先評価軸にはリンク先評価単位の属する評価軸を格納する。また、リンク先評価単位にはリンクを行う評価単位ＩＤ、リンク先出力番号には、リンクを行う評価単位の出力＿ｎｏを格納する。出力＿ｎｏは後で述べる出力設定テーブル１４ｃに格納されている。
【００５８】
【表１６】
2009037388.tif 000018
【００５９】
表１６に示す出力設定テーブル１４ｃは、id_sheet、評価軸、評価単位id、出力_no、出力項目名、単位種別、単位、結果、および、yearを対応づけて格納する。評価結果データ１４は、これらのデータを格納することで、評価シートの記録ができる。
【００６０】
「id_sheet」列は、評価単位の属する評価シートのＩＤを格納する。
「評価軸」列は、評価単位の属する評価軸を格納する。このとき、評価軸は、評価軸ＩＤ（効率：０、環境性：１、経済性：２、…）を設定することで、データ容量の少量化を図ることができる。
「評価単位id」列は、評価シート上の各評価を区別するためのＩＤとなる。なお、ＩＤの割り当て方法は、例えば、評価単位を作った順番、評価単位を作った座標などがある。
「出力_no」列は、該当する出力項目番号を格納する。
「出力項目名」、「単位種別」、「単位」列は、それぞれ出力項目に対応した項目名、単位の区分、単位を格納する。出力_no、出力項目名や単位は評価単位データ１２から設定される。
「結果」列は、評価実行時に結果を算出後、評価結果値を格納する。
「year」列は、評価年項目であり、この列をキーとすることで評価年毎の結果を格納できる。
【００６１】
【表１７】
2009037388.tif 000019
【表１８】
2009037388.tif 000020
【００６２】
表１７〜表１８に示す単位設定テーブル１４ｄは、表１７の各列（id_sheet、評価軸、評価単位id、座標（x）、座標（y）、評価単位名、評価手法）と、表１８の各列（チェーン分類、機器分類、入力数、出力数、原燃料名、製品名）と、を対応づけて格納する。
【００６３】
「id_sheet」、「評価軸」、「評価単位id」列は、出力設定テーブル１４ｃで説明したものである。
「座標（ｘ）」、「座標（ｙ）」列は、評価シート上における評価単位の横方向（ｘ）座標、縦方向（ｙ）座標をそれぞれ格納している。
「評価単位名」列は、評価単位の示す機器名称を格納する。
「評価手法」、「チェーン分類」、「機器分類」列は、評価単位に属する評価手法プログラム１３のファイル名、チェーン分類、機器分類を格納する。
「入力数」、「出力数」列は、それぞれ評価単位に属する評価手法プログラム１３のファイル名の入力数および出力数を格納する。
【００６４】
【表１９】
2009037388.tif 000021
【００６５】
表１９に示す単位記号テーブル１５は、単位ＩＤと、単位とを対応づけて管理する。他のテーブルの「単位」欄に数値が記載されているときには、その数値を検索キーとして、単位ＩＤを対象として検索し、一致する単位ＩＤに対応する単位が、他のテーブルの「単位」である。
【００６６】
図７は、評価データ管理部２４によるデータ編集画面を示す画面図である。評価データ管理部２４は、評価データ１１（表１〜表４に示すプロセス機器技術テーブル１１ａ、表５〜表６に示す原燃料テーブル１１ｂ、および、表７に示す一般テーブル１１ｃ）のデータにアクセスし、データの入力や閲覧を行う。評価データ１１は、各テーブル先頭列のＩＤ（id_techniqueなど）を主キーとすることで、データの区分を行う。以下、データ編集画面の一例として、プロセス機器技術テーブル１１ａの編集画面を示す。
【００６７】
ユーザは、データ入力を行う際には目的のセルを入力装置１で指定し、データを入力する。ユーザは、各データ項目名や数値を指定するときに、検索機能を実行することにより、情報を絞ることもできる。
ユーザは、新規データ作成の場合は、新規作成のイベントを起こす機能をもつボタンなどのインターフェイスを押し、新規入力する項目についてデータを入力する。ここで、データ項目入力フォーマットは、表形式など様々な手法がとることが可能となる。
また、データ項目の閲覧、追加や更新は、すでに格納されているデータ、つまりは図７のような画面に表示されているデータの中から、対象となる機械名に属するデータいずれかを選択し、データ詳細表示を起こす機能をもつボタンを押し、入力する項目を閲覧、追加、更新を行う。
【００６８】
図８は、評価単位編集部２７が実行する評価単位プロパティの画面表示の一例を示す。評価プロパティ画面は、評価対象設定欄２７１、評価軸タブ欄２７２、評価手法プログラム名設定欄２７３、入力情報設定欄２７４、および、出力情報設定欄２７５を有する。入力情報設定欄２７４は、項目名欄２７４ａ、リンク先・数値欄２７４ｂ、および、単位欄２７４ｃを有する。出力情報設定欄２７５は、項目名欄２７５ａ、および、単位欄２７５ｂを有する。
【００６９】
評価対象設定欄２７１は、評価対象となるチェーン分類、機器分類を設定する。ここで内部処理として、設定したチェーン分類、機器分類をキーとして評価単位データ１２を検索する。例えば、「機器名称」欄は、プロセス機器技術テーブル１１ａの機器名称項目に格納されたデータを表示する。
【００７０】
評価軸タブ欄２７２は、評価手法プログラム１３に関する評価手法プログラム名設定欄２７３、入力情報設定欄２７４、および、出力情報設定欄２７５を評価軸ごとにタブ形式で表示する。これにより、評価単位の追加の作業を行わずに同一機器、各評価軸の評価単位を設定できる。なお、各データは本データやその他のデータから呼び出すこともできるがデータからの引用以外の手法でもデータの入力は可能とする。この一連の作業を効率、環境性、経済性など評価したい評価軸について設定する。
【００７１】
評価手法プログラム名設定欄２７３は、評価対象設定欄２７１から起動された評価単位データ１２の検索結果として、該当するid_subを１つ以上見つかれば、見つかったid_subに対応した評価手法プログラム名をメニュー表示する。評価者はメニュー表示された評価手法プログラム名の中から、想定した評価手法プログラム名を選ぶ。
【００７２】
入力情報設定欄２７４は、評価手法プログラム名設定欄２７３で評価者により選択された評価手法プログラム１３の入力項目についての情報を表示し、編集可能とする。つまり、選択した評価手法プログラム１３の入力数にそれぞれ対応した数の入力口が上部から入力項目順に配置される。
項目名欄２７４ａは、選択された評価手法プログラム１３のid_subに対応する入力項目（入力項目「１」〜「ｎ」）の単位情報を表示し、編集可能とする。
リンク先・数値欄２７４ｂは、リンクテーブル１２ｂから選択された評価手法プログラム１３のid_subに対応するリンクデータが登録されていればそのデータを出力する。
単位欄２７４ｃは、入力項目の単位「１」〜「ｎ」を出力する。
【００７３】
出力情報設定欄２７５は、評価手法プログラム名設定欄２７３で評価者により選択された評価手法プログラム１３の出力項目（出力項目「１」〜「ｎ」）についての情報を表示し、編集可能とする。つまり、選択した評価手法プログラム１３の出力数にそれぞれ対応した数の出力口が上部から出力項目順に配置される。
項目名欄２７５ａは、選択された評価手法プログラム１３のid_subに対応する出力項目の単位情報を表示し、編集可能とする。
単位欄２７５ｂは、出力項目の単位「１」〜「ｎ」を出力する。
【００７４】
図９は、データ手法リンク部２３の設定画面の一例を示す。設定画面は、評価手法プログラム選択欄２３１、評価手法プログラム設定欄２３２、入力情報設定欄２３３、および、出力情報設定欄２３４を有する。評価手法プログラム設定欄２３２は、サブルーチン名欄２３２ａ、計算名欄２３２ｂ、チェーン名欄２３２ｃ、機器種類欄２３２ｄ、および、項目数設定欄２３２ｅを有する。
【００７５】
評価手法プログラム選択欄２３１は、評価手法プログラム１３を評価者に選択させ、ファイルの読み込みを実施する。この際に、ファイル名、およびファイル内の＄ＳＵＢＩＮ、＄ＳＵＢＯＵＴの全項目を読み込む。
評価手法プログラム設定欄２３２は、評価手法プログラム選択欄２３１で選択された評価手法プログラム１３に関する情報を出力する。
【００７６】
サブルーチン名欄２３２ａは、選択された評価手法プログラム１３のファイル名を出力する。
計算名欄２３２ｂは、評価軸を設定するための欄である。なお、設定は、あらかじめ決められている評価軸を選択させることが望ましく、例えば評価手法プログラム１３が効率計算に属するものであれば、効率を選択する。
チェーン名欄２３２ｃは、プロセス機器技術テーブル１１ａのチェーン分類列に格納されたチェーン分類名を検索し、読み込み、一覧表示を行う。一覧表示されたチェーン分類名から任意のものを選択し、選択されたチェーン分類名を画面上に表示する。
機器種類欄２３２ｄは、プロセス機器技術テーブル１１ａの機器分類列に格納された機器分類名を検索し、読み込み、一覧表示を行う。機器分類を設定する際に、すでにチェーン分類が設定されていれば該当するチェーン分類に属する機器分類のみを検索、読み込み、一覧表示することで、選択者に情報を絞って表示することができる。一覧表示された機器分類名から任意のものを選択し、選択された機器分類名を画面上に表示する。
項目数設定欄２３２ｅは、選択された評価手法プログラム１３の＄ＳＵＢＩＮで示される入力項目の個数、および、＄ＳＵＢＯＵＴで示される出力項目の個数を出力する。
【００７７】
入力情報設定欄２３３は、選択された評価手法プログラム１３の＄ＳＵＢＩＮで示される各入力項目について、項目記載順に出力する。
出力情報設定欄２３４は、選択された評価手法プログラム１３の＄ＳＵＢＯＵＴで示される各出力項目について、項目記載順に出力する。
【００７８】
次に、入力情報設定欄２３３に表示された各入力項目にリンクさせたいデータがある場合、以下の手順でデータのリンク設定を行う。例えば項目番号３の入力項目に「機器効率」データをリンクさせたい場合、チェーン分類および機器分類をキーにしてリンク項目名のメニュー表示を行う。このときメニュー表示として出力される項目は前記の各テーブルにおけるデータ項目名となる。
【００７９】
例えば、チェーン分類が燃料採掘、機器分類が石炭採掘で３の項目名に機器効率が表示されている場合、リンク項目名で「機器効率」を選択すると、プロセス機器技術テーブル１１ａのチェーン分類が燃料採掘かつ機器分類が石炭採掘であるid_techniqueが検索され、検索されたＩＤがもつ項目名がすべて表示される。
【００８０】
また、id_techniqueのもつ原燃料名データ列および製品名データ列に格納された燃料名に対応するid_fuelを検索し、同様に項目名を表示する。さらに一般テーブル１１ｃからすべてのデータ項目を抽出し項目名を表示する。
【００８１】
データ項目一覧はプルダウン表示などで選択するのが望ましいが、この限りではない。特にプルダウンメニューにデータ項目名列とデータ数値を格納する列に数値を格納していない場合データ項目名を出力させないこともできる。データ項目名を選択すると同時に各テーブルにおいてチェーン分類、機器分類項目名、およびデータ項目名をキーにして格納している単位記号テーブル１５を単位部分に表示させる。
【００８２】
チェーン分類が燃料採掘、機器分類が石炭採掘で３の項目名に機器効率が表示されている。この場合、リンク項目名で「機器効率」を選択すると、プロセス機器技術テーブル１１ａのチェーン分類が燃料採掘かつ機器分類が石炭採掘であるid_techniqueが検索され、検索された中から効率データの単位を抽出して単位欄に表示する。単位欄への表示手法はこの限りではなく単位記号テーブル１５があればその単位記号テーブル１５からの選択もでき、単位を直接入力することもできる。
【００８３】
さらに、出力情報設定欄２３４に、出力項目および単位を設定する。単位欄への表示手法はこの限りではなく単位記号テーブル１５があればその単位記号テーブル１５からの選択もでき、単位を直接入力することもできる。これにより、評価軸、評価対象機器、評価手法、評価を行う際に入力となるデータおよび出力データの関係を確立することができる。データ手法リンク部２３にて確立した関係は、評価単位データ１２に格納される。
【００８４】
図１０は、評価対象編集部２６の画面の一例を示す画面図である。評価対象編集部２６は、シート欄２６１、評価軸切替欄２６２、シート名表示欄２６３、評価対象編集ツール欄２６４、および、評価実行欄２６５を有する。評価単位を使用して評価対象サプライチェーンを編集する評価対象編集部２６について説明する。
【００８５】
シート欄２６１は、評価単位を張り付け、情報リンクの結果を表示する箇所である。以下説明するように、シート欄２６１上で評価単位であるプロセス機器を選択・設定するだけで、簡単に評価に関する評価データの入力作業を実施できる。
評価軸切替欄２６２は、対象となる評価軸の編集シートを表示するために用い、評価者は編集・閲覧したい評価軸を選択することで表示が切り替えることができる。
シート名表示欄２６３は、シート欄２６１で編集している編集シートの名称を表示する。
評価対象編集ツール欄２６４は、評価単位を発生、消去するなど評価手法プログラム１３の編集を行うことができる。
評価実行欄２６５は、評価実行部は評価・計算の実行や編集シートの保存、結果の表示などを行う。
【００８６】
以下、評価対象編集部２６で評価単位の設定および評価対象サプライチェーンの編集を行う手順を示す。
【００８７】
まず、評価対象編集ツール欄２６４の「追加」ボタンを選択し、シート欄２６１の任意の場所を選択すると、選択した場所に評価単位を追加する。シート欄２６１は、マスのようになっており、各マス内に評価単位を設置することが望ましいが、この限りではない。評価単位の追加イベントに連動して、追加された評価単位の設定を行うプロパティ（図８参照）が表示される。
【００８８】
評価単位を２つ以上追加した後、評価対象編集ツール欄２６４の「結線」ボタンを選択し、評価単位のデータリンクを行う。これは、まず、データリンクしたい入力情報設定欄２３３のチェーン分類、機器分類、機器名称、入力項目番号または入力項目名を特定し、さらにデータリンクしたい出力情報設定欄２３４のチェーン分類、機器分類、機器名称、出力項目番号または出力項目名を特定することで実現する。
【００８９】
入力項目名および出力項目名の指定は、例えば入力側および出力側の評価単位プロパティ画面（図８参照）でそれぞれ指定することで、実現できる。別の指定方法としては、図５（ｂ）に示すように、評価単位の項目に対応する入力番号または出力番号を選択することで、実現できる。
【００９０】
なお、編集をやり直すときには、評価対象編集ツール欄２６４の「削除」ボタンで評価単位を削除したり、「結線削除」ボタンでデータリンクを削除したりすることができる。これらの削除は、消去範囲指定を指定することで、その消去範囲内に存在する削除対象を一括で削除できる。また、複数の編集対象をグループとして一括で編集するときには、「グループ化」、「グループ登録」、「グループ貼付」の各ボタンを選択すればよい。
【００９１】
そして、評価実行欄２６５の「計算」ボタンを押すと、計算モードの選択を行う。計算モードでは、シート欄２６１で編集された編集シートについて、計算の回数、最適化計算の実施を宣言する。計算モードを選択すると、評価単位ごとの評価手法プログラム１３および評価結果データ１４がメモリ内に読み込まれＣＰＵ６に送られる。評価部２５は、評価手法プログラム１３に記述された評価手法ルーチンに従って計算を行い、その計算結果を出力設定テーブル１４ｃの「結果」列に格納する。
【００９２】
さらに、評価実行欄２６５の「グラフ」ボタンを押すと、チェーン分類／機器名称および出力項目名をキーにして、評価部２５の計算結果を出力設定テーブル１４ｃから取得し、グラフ形式で表示する。これにより、サプライチェーン全体での該当出力項目の出力結果の流れを見ることができる。
この際に「グラフ」による結果表示の一例を図１１に示す。
グラフ１１００は、図１０の画面とは別のウィンドウ上に表示される。本ウィンドウ上には計算シートごとにデータを選択し、グラフを表示するために計算シート選択機能１１０１を具備する。計算シート選択機能１１０１により、シートごと、および計算したシート全部を表示することが可能となる。
同様に対象計算シートの表示機軸ごとにデータを選択し、グラフを表示するために評価軸選択機能１１０２を具備する。また、評価項目ごとにデータを選択し、グラフを表示するために評価項目選択機能１１０３を具備する。
計算シート選択機能１１０１、評価軸選択機能１１０２、評価項目選択機能１１０３は、それぞれ表１６に示す出力設定テーブル１４ｃのid_sheet、評価軸、出力項目名を決定し、該当するデータを抽出する。さらに表１７に示す単位設定テーブル１４ｄの座標情報（ｘ，ｙ）からデータの表示順序を決定する。
また、図１１の画面表示は、グラフ１１００のスケールを変更するスケール変更機能１１０５を具備する。ユーザは、スケールの設定は下限値（最小）および上限値（最大）を入力し、グラフ更新ボタン１１０６をクリックすると、更新イベントが発生し、グラフ１１００のリフレッシュが行われる。
なお、出力したグラフ１１００は、ファイル出力ボタン１１０６を押すことで、抽出したデータを表計算ソフトなどの汎用シート形式で格納し、ファイルとして出力することが可能となる。
【００９３】
なお、評価実行欄２６５の「保存」ボタンを押すと、評価対象編集部２６の編集内容をファイルとして保存する。「クリア」ボタンを押すと、評価対象編集部２６の編集内容をクリア（消去）する。「原燃料」ボタンを押すと、評価データ管理部２４が原燃料テーブル１１ｂを編集するためのデータ編集画面を表示する。「原燃料」ボタンを押すと、評価対象編集部２６の画面を閉じる。
【図面の簡単な説明】
【００９４】
【図１】本発明の一実施形態に関するエネルギーシステム評価装置のハードウェア構成を示す構成図である。
【図２】本発明の一実施形態に関するエネルギーシステム評価装置を分散システムにした旨を示す構成図である。
【図３】本発明の一実施形態に関するエネルギーシステム評価装置の機能を示す構成図である。
【図４】本発明の一実施形態に関する評価対象編集部の編集処理を示す説明図である。
【図５】本発明の一実施形態に関する評価単位データの評価単位を示す概要図である。
【図６】本発明の一実施形態に関する評価手法プログラムの一例を示す説明図である。
【図７】本発明の一実施形態に関する評価データ管理部によるデータ編集画面を示す画面図である。
【図８】本発明の一実施形態に関する評価単位編集部が実行する評価単位プロパティの画面表示を示す画面図である。
【図９】本発明の一実施形態に関するデータ手法リンク部の設定画面の一例を示す画面図である。
【図１０】本発明の一実施形態に関する評価対象編集部の画面の一例を示す画面図である。
【図１１】本発明の一実施形態に関する評価部の計算結果を示すグラフ画面の一例を示す画面図である。
【符号の説明】
【００９５】
１      入力装置
２      表示装置
３      データ格納装置
４ａ，４ｂ  通信装置
５      ファイルサーバ
６      ＣＰＵ
７      メインメモリ
９      エネルギーシステム評価装置
１１    評価データ
１１ａ  プロセス機器技術テーブル
１１ｂ  原燃料テーブル
１１ｃ  一般テーブル
１２    評価単位データ
１２ａ  基本テーブル
１２ｂ  リンクテーブル
１３    評価手法プログラム
１４    評価結果データ
１４ａ  シート設定テーブル
１４ｂ  入力設定テーブル
１４ｃ  出力設定テーブル
１４ｄ  単位設定テーブル
１５    単位記号テーブル
２１    入力部
２２    表示部
２３    データ手法リンク部
２４    評価データ管理部
２５    評価部
２６    評価対象編集部
２７    評価単位編集部
【図１】
2009037388.tif 000022
【図２】
2009037388.tif 000023
【図３】
2009037388.tif 000024
【図４】
2009037388.tif 000025
【図５】
2009037388.tif 000026
【図６】
2009037388.tif 000027
【図７】
2009037388.tif 000028
【図８】
2009037388.tif 000029
【図９】
2009037388.tif 000030
【図１０】
2009037388.tif 000031
【図１１】
2009037388.tif 000032